(57)【特許請求の範囲】
【請求項１】
上部に電線を沿わせた碍子に被せる碍子カバーであって、カバー本体は、碍子の上部に嵌合する碍子嵌合孔と、碍子嵌合孔と連通し且つ碍子に沿わせた電線をカバー本体の内外に通す電線通し孔とを備えており、電線通し孔は、電線をカバー本体の外に抜き出す両側部にそれぞれ下向きに傾斜した電線案内部を有することで、ほぼへの字状に彎曲または屈曲した横孔であり、電線通し孔に電線を挿通したときに、各電線案内部がカバー本体の外に抜き出される電線をガイドして下向きに傾斜させることを特徴とする碍子カバー。
【請求項２】
カバー本体の電線通し孔の上部には、離隔壁を挟んで電線通し孔と平行する排水路が設けてあり、排水路の両側端部は、電線案内部に沿って下向きに傾斜していることを特徴とする請求項１記載の碍子カバー。
【請求項３】
上部に電線を沿わせた碍子に被せる碍子カバーであって、カバー本体は、碍子の上部に嵌合する碍子嵌合孔と、碍子嵌合孔と連通し且つ碍子に沿わせた電線をカバー本体の内外に通す電線通し孔とを備えており、電線通し孔は、電線を挿通したときに、カバー本体の外に抜き出される電線をガイドして下向きに傾斜させる電線案内部を有しており、カバー本体の電線通し孔の上部には、離隔壁を挟んで電線通し孔と平行する排水路が設けてあり、排水路の両側端部は、電線案内部に沿って下向きに傾斜していることを特徴とする碍子カバー。
【発明の詳細な説明】
【技術分野】
【０００１】
本発明は、沿岸部に設置される電柱の碍子に取り付ける碍子カバーに関するものである。
【背景技術】
【０００２】
一般の電柱では碍子に電線を引き留めるときに、碍子に巻きつけたバインド線が使用されていた。しかしながら、沿岸部に設置される電柱では、雨天時に海水を含んだ雨が降りつけたり、あるいは、海からの潮風や波打ちによる海水が吹きつけることにより、海水中に含まれる塩分の影響でトラッキングが発生することがあった。このようなときには、電線の被覆面が破損することがあり、最悪の場合、火災、停電などの大きな事故を起こす原因の一要素となる可能性があった。そこで、塩害によるトラッキングを防ぐために、碍子の上部に樹脂製のカバーを被せ、碍子に上記した雨や潮風に含まれる塩水が吹きつけられたときに、碍子への浸水を防いでトラッキングを抑制するような手立てがなされていた。
【発明の概要】
【発明が解決しようとする課題】
【０００３】
ところが、従来は他の用途で使用するカバーを応急的に碍子に取り付けるものであったため、碍子上部の傘を覆うことにより碍子本来の性能を低下させる要因となり、さらに、カバーと碍子接触面でトラッキングが発生してカバー自体に破損がないかを確認するために巡回する必要があった。
本発明は、上記課題を鑑みてなされたものであり、沿岸部に設置される碍子と電線の接合箇所を長期的且つ安全に防護することができる碍子カバーを提供することにある。
【課題を解決するための手段】
【０００４】
本発明のうち請求項１記載の発明は、上部に電線を沿わせた碍子に被せる碍子カバーであって、カバー本体は、碍子の上部に嵌合する碍子嵌合孔と、碍子嵌合孔と連通し且つ碍子に沿わせた電線をカバー本体の内外に通す電線通し孔とを備えており、電線通し孔は、電線をカバー本体の外に抜き出す両側部にそれぞれ下向きに傾斜した電線案内部を有することで、ほぼへの字状に彎曲または屈曲した横孔であり、電線通し孔に電線を挿通したときに、各電線案内部がカバー本体の外に抜き出される電線をガイドして下向きに傾斜させることを特徴とする。
【０００５】
本発明の請求項２記載の発明は、カバー本体の電線通し孔の上部には、離隔壁を挟んで電線通し孔と平行する排水路が設けてあり、排水路の両側端部は、電線案内部に沿って下向きに傾斜していることを特徴とする。
【０００６】
本発明の請求項３記載の発明は、上部に電線を沿わせた碍子に被せる碍子カバーであって、カバー本体は、碍子の上部に嵌合する碍子嵌合孔と、碍子嵌合孔と連通し且つ碍子に沿わせた電線をカバー本体の内外に通す電線通し孔とを備えており、電線通し孔は、電線を挿通したときに、カバー本体の外に抜き出される電線をガイドして下向きに傾斜させる電線案内部を有しており、カバー本体の電線通し孔の上部には、離隔壁を挟んで電線通し孔と平行する排水路が設けてあり、排水路の両側端部は、電線案内部に沿って下向きに傾斜していることを特徴とする。
【発明の効果】
【０００７】
本発明のうち請求項１記載の発明によれば、碍子カバーにおける電線通し孔の両側端部が電線案内部にガイドされて下方に向くことにより、塩水が碍子カバーに付着しても、水滴がカバー本体における電線通し孔の両側端部の下方に向く傾斜をつたってスムーズに流れ落ちていく。これにより、碍子カバー内への塩水の浸水も防げるので、トラッキングの発生比率を抑えて電線被覆面の破損や劣化を大幅に減らすことができ、火災などの大きな事故の不安を払拭できるとともに、電線や碍子の長期的な使用が可能となる。さらに、従来は、カバーの取り付けに際し、作業者の手によって電線を下に向かせる必要があったが、電線を沿わせた碍子の上部に、本発明による碍子カバーを被せるだけで電線が下向きとなるように簡単に取り付けられるようになり、電線設備作業の施工効率が格段に上がることになる。
【０００８】
本発明のうち請求項２及び３記載の発明によれば、カバー本体における電線通し孔の離隔壁を挟んだ上側に、電線通し孔と平行する排水路が設けてあり、排水路の両側端部が電線案内部とともに下向きに傾斜していることで、塩水がカバー本体の壁部をつたって開口から排水路に流入した場合でも、電線案内部に沿って下向きに傾斜した排水路の両側端部開口から流れ落ちていくので、電線と碍子への塩水の付着防止効果を一層高められる。
【図面の簡単な説明】
【０００９】
【図１】（ａ）は、本実施による碍子カバーの使用状態について、電線の長手方向から見た図であり、（ｂ）は、他方のカバー構成部材を開いてカバー本体と碍子との取付状態を示す平面図である。
【図２】（ａ）は、本実施による碍子カバーの使用状態を示す正面図であり、（ｂ）と（ｃ）は、カバー構成部材を閉じたときの排水路の形成される状態を示す一部を拡大した縦断面図である。
【図３】本実施による碍子カバーの塩水が吹きつけられたときの使用状態を示す縦断面図である。
【図４】本発明の碍子カバーの他の実施形態を示す（ａ）は、正面図であり、（ｂ）は、縦断面図である。
【発明を実施するための形態】
【００１０】
以下に、図面に基づいて本実施による碍子カバーの実施の形態を説明する。
本実施による碍子カバーは、図１（ａ）（ｂ）のように、上端部が継部１２により開閉自在な左右一対のカバー構成部材１ａ，１ｂにより構成してある。また、それぞれのカバー構成部材１ａ，１ｂの内部には、碍子２の上部を嵌合する碍子嵌合孔３と、碍子嵌合孔３の上部側と連通して左右に伸びる電線通し孔４と、電線通し孔４の上部に離隔壁５ａ，５ｂを挟んで平行する排水路６とを備えており、一方のカバー構成部材１ａと他方のカバー構成部材１ｂを閉じたときに、その内部にほぼＴ字型をなす空間が形成される。そして、本実施による碍子カバーを碍子上部２ａに取り付けたとき、カバー本体１が碍子２の上部全体を覆い、さらに、碍子２の上端部に引き寄せられた電線７を電線通し孔４からカバー本体１の外に抜き出している。
【００１１】
排水路６は、本実施による碍子カバーを碍子２に取り付けるときに、カバー構成部材１ａ，１ｂが閉じることで形成されるものである。具体的には図２（ｂ）に示すように、一方のカバー構成部材１ａにおける電線通し孔４の離隔壁（一方側）５ａを挟んだ上側に、ほぼコ字型をなす排水路構成溝６ａが設けてあり、また、他方のカバー構成部材１ｂの排水路構成溝６ａの離隔壁（他方側）５ｂは、ほぼ水平に突出している。そして、上記の離隔壁（他方側）５ｂの突出先端部８は、やや上向きに傾斜しており、一方のカバー構成部材１ａと他方のカバー構成部材１ｂを閉じたときに、図２（ｃ）のように、他方のカバー構成部材１ｂの離隔壁（他方側）５ｂの突出先端部８が、一方のカバー構成部材１ａの排水路構成溝６ａの溝底面６ｂを押圧して上方に彎曲変形しながら圧着する。これにより、排水路６の水密性が高まることで、電線７と碍子２への浸水が防がれる。
尚、符号１４は、弁であり、排水路６内への直接的な塩水の流入を防ぐ役割を果たしている。
【００１２】
上記のように、本実施による碍子カバーを形成すると、例えば、沿岸部の雨天時を想定したとき、図３のように、碍子カバーに降りかかった海水中の塩分を含む雨滴は、カバー本体１の内周側をつたって排水路６内に流入した場合でも、排水路６底部の両端部がそれぞれ下方に傾斜していることにより、雨滴が排水路６内に滞留せずに電線７側に流れ落ちていく。そして、電線通し孔４の両端部を囲む電線案内部９に沿って流れていくが、両側の電線案内部９が下向きに傾斜しているため、雨滴が傾斜をつたって円滑に碍子カバーの外に排水される。これにより、碍子カバー内には雨滴が滞留することがないので、電線７と碍子２の接触部分に雨滴が付着してトラッキングを起こす状況が大幅に減り、電線７被覆面の破損による事故発生が抑えられるとともに、短期間での電線７や碍子２の交換が不要となる。また、カバー本体１の下端は碍子２と接触しない状態にしてあり、電線７同様に碍子２に負担をかけない構造になっている。
【００１３】
次に、本実施による碍子カバーを取り付けるときの手順について、図１（ｂ）を参照して説明する。
まず、第一の手順として、一方のカバー構成部材１ａを碍子２にあてがい、電線通し孔４に電線を入れるとともに、碍子嵌合孔３に碍子２の上部を入れる。
第二の手順として、他方のカバー構成部材１ｂを碍子２に嵌合した一方のカバー構成部材１ａの側に閉じていき、互いのカバー構成部材１ａ，１ｂの下端部に設けてある雌雄部１０ａ，１０ｂを嵌め込んで碍子カバーを碍子２から離脱不能にする。
第三の手順として、電線案内部９の先端部に連続的に取り付けてある防水しろ１３の開口９ａと、開口９ａから抜き出した電線７との隙間を隠蔽する防水テープ（図示省略）を巻きつける。
以上、上記の第一〜第三の各手順を経ることにより、本実施による碍子カバーにおける碍子２と電線７との接触箇所が高い水密性を保持することで、電線７と碍子２の接合箇所を塩水から防護する状態となる。
【００１４】
本発明によるカバー本体１は、上記実施形態では、一対形状且つ開閉が自在な二つのカバー構成部材１ａ，１ｂにより碍子２を挟み込んで取り付ける態様のものであるが、図４（ａ）（ｂ）のように、カバー本体１を椀型に一体成形してあるとともに、電線７が碍子２に取り付けた状態にあってもカバー本体１を碍子２の上部２ａに嵌合できる構造をなすものでもよい。具体的に本実施のものは、カバー本体１の下端から電線通し孔４まで連通した切欠部１１を設け、碍子２と電線７の上側から、切欠部１１に電線７を通して碍子２上部にカバー本体を被せるような態様をなしている。また、排水路６については、電線通し孔４に沿って平行して設けてあれば、排水路６がカバー本体１内に占めるスペースの広さや断面形状などを特に限定するものではない。また、電線案内部９は、電線７をカバー本体１の外に通すスペースを有するとともに、カバー本体１の外側に抜き出す電線７を下向きに傾斜するようにガイドできるものであればよいから、上記実施形態のような筒状の他、クランプのようなもので両側から電線７を挟み込んで方向を変えるようなのであってもよい。また、電線案内部９がカバー本体１から下方に傾斜する角度についても特に限定するものではないが、電線７に強い変形力を加えるような極端な角度でなければよい。
【符号の説明】
【００１５】
１ カバー本体
２ 碍子
２ａ 碍子上部
３ 碍子嵌合孔
４ 電線通し孔
５ａ，５ｂ 離隔壁
７ 電線
９ 電線案内部
【図１】
0005543764.tif 000002
【図２】
0005543764.tif 000003
【図３】
0005543764.tif 000004
【図４】
0005543764.tif 000005